(57)【要約】    【課題】飛行性能に優れたゴルフボールの提供。    【解決手段】ゴルフボールは、ディンプル８を備えている。ディンプル８は、第一曲面Ｓ１、第二曲面Ｓ２、第三曲面Ｓ３、第一エッジＥ１、第二エッジＥ２及び第三エッジＥ３を備えている。第二エッジＥ２及び第三エッジＥ３は第一エッジＥ１と同心円状に配置されている。第一曲面Ｓ１は、リング状である。第一曲面Ｓ１は、第一エッジＥ１からディンプル８の中心に向かって下向きに傾斜している。第二曲面Ｓ２は、リング状である。第二曲面Ｓ２は、第二エッジＥ２からディンプル８の中心に向かって上向きに傾斜している。第三曲面Ｓ３は、碗状である。第三曲面Ｓ３は、第三エッジＥ３からディンプル８の中心に向かって下向きに傾斜している。ディンプル８の中心に向かう空気は、第三エッジＥ３と衝突する。この衝突により、空気の流れが乱される。【選択図】図４
2006094884.tif 000002
【特許請求の範囲】
【請求項１】
輪郭が円であるディンプルをその表面に多数備えたゴルフボールであって、
このディンプルが、第一曲面、第二曲面、第三曲面、ランドと第一曲面との境界である円状の第一エッジ、第一曲面と第二曲面との境界である円状の第二エッジ及び第二曲面と第三曲面との境界である円状の第三エッジを備えており、
第二エッジ及び第三エッジが第一エッジと同心円状に配置されているゴルフボール。
【請求項２】
上記第一曲面がディンプル中心に向かって下向きに傾斜しており、第二曲面がディンプル中心に向かって上向きに傾斜しており、第三曲面がディンプル中心に向かって下向きに傾斜している請求項１に記載のゴルフボール。
【請求項３】
上記ディンプルが、第四曲面と、第三曲面と第四曲面との境界である第四エッジとをさらに備えており、この第四エッジが第一エッジと同心円状に配置されている請求項１又は２に記載のゴルフボール。
【請求項４】
上記ディンプルが、第五曲面と、第四曲面と第五曲面との境界である第五エッジとをさらに備えており、この第五エッジが第一エッジと同心円状に配置されている請求項３に記載のゴルフボール。
【請求項５】
上記ディンプルが、第六曲面と、第五曲面と第六曲面との境界である第六エッジとをさらに備えており、この第六エッジが第一エッジと同心円状に配置されている請求項４に記載のゴルフボール。
【請求項６】
上記ディンプルが、第七曲面と、第六曲面と第七曲面との境界である第七エッジとをさらに備えており、この第七エッジが第一エッジと同心円状に配置されている請求項５に記載のゴルフボール。
【請求項７】
上記ディンプルに含まれるすべての曲面が、第一エッジを含む平面よりも上方に突出していない請求項１から６のいずれかに記載のゴルフボール。
【請求項８】
上記第一曲面が仮想球面の一部をなしかつディンプル中心に向かって下向きに傾斜しており、このディンプルに含まれるすべての曲面がこの仮想球面よりも下方に突出していない請求項１から７のいずれかに記載のゴルフボール。
【発明の詳細な説明】
【技術分野】
【０００１】
本発明は、ゴルフボールに関する。詳細には、本発明は、ゴルフボールのディンプルの改良に関する。
【背景技術】
【０００２】
ゴルフボールは、その表面に多数のディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点との差が助長され、ゴルフボールに作用する揚力が高められる。このようなディンプルの役割は、「ディンプル効果」と称されている。優れたディンプルは、よりよく空気の流れを乱す。
【０００３】
飛行性能向上を目的として、ディンプル形状に関する種々の提案がなされている。特開平５−９６０２６号公報には、ダブルスロープを備えたディンプルが開示されている。特開平８−２３８３３６号公報には、中心に突起を備えたディンプルが開示されている。特開平９−７０４４９号公報には、ダブルラジアス形状のディンプルが開示されている。特開２００２−３３６３３７公報には、その内部にサブディンプルが形成されたディンプルが開示されている。
【特許文献１】特開平５−９６０２６号公報
【特許文献２】特開平８−２３８３３６号公報
【特許文献３】特開平９−７０４４９号公報
【特許文献４】特開２００２−３３６３３７公報
【発明の開示】
【発明が解決しようとする課題】
【０００４】
ゴルフボールに対するゴルファーの最大の関心事は、飛距離である。飛距離向上の観点から、ディンプルにはなお改良の余地がある。本発明の目的は、飛行性能に優れたゴルフボールの提供にある。
【課題を解決するための手段】
【０００５】
本発明に係るゴルフボールは、輪郭が円であるディンプルをその表面に多数備えている。このディンプルは、第一曲面、第二曲面、第三曲面、ランドと第一曲面との境界である円状の第一エッジ、第一曲面と第二曲面との境界である円状の第二エッジ及び第二曲面と第三曲面との境界である円状の第三エッジを備えている。第二エッジ及び第三エッジは、第一エッジと同心円状に配置されている。
【０００６】
好ましくは、第一曲面はディンプル中心に向かって下向きに傾斜しており、第二曲面はディンプル中心に向かって上向きに傾斜しており、第三曲面はディンプル中心に向かって下向きに傾斜している。
【０００７】
好ましくは、ディンプルは、第四曲面と、第三曲面と第四曲面との境界である第四エッジとをさらに備える。この第四エッジは、第一エッジと同心円状に配置されている。
【０００８】
好ましくは、ディンプルは、第五曲面と、第四曲面と第五曲面との境界である第五エッジとをさらに備える。この第五エッジは、第一エッジと同心円状に配置されている。
【０００９】
好ましくは、ディンプルは、第六曲面と、第五曲面と第六曲面との境界である第六エッジとをさらに備える。この第六エッジは、第一エッジと同心円状に配置されている。
【００１０】
好ましくは、ディンプルは、第七曲面と、第六曲面と第七曲面との境界である第七エッジとをさらに備える。この第七エッジは、第一エッジと同心円状に配置されている。
【００１１】
好ましくは、ディンプルに含まれるすべての曲面は、第一エッジを含む平面よりも上方に突出していない。
【００１２】
好ましくは、第一曲面は、仮想球面の一部をなしかつディンプル中心に向かって下向きに傾斜している。ディンプルに含まれるすべての曲面は、この仮想球面よりも下方に突出していない。
【発明の効果】
【００１３】
このゴルフボールでは、ディンプルの内部に形成されたエッジによって空気の流れが乱される。このゴルフボールは、飛行性能に優れる。
【発明を実施するための最良の形態】
【００１４】
以下、適宜図面が参照されつつ、好ましい実施形態に基づいて本発明が詳細に説明される。
【００１５】
図１は、本発明の一実施形態に係るゴルフボール２が示された模式的断面図である。このゴルフボール２は、球状のコア４と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。
【００１６】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上が特に好ましい。ＵＳＧＡの規格が満たされるとの観点から、質量は４５．９３ｇ以下が好ましい。
【００１７】
コア４は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１８】
コア４の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１９】
コア４のゴム組成物には、充填剤、硫黄化合物、老化防止剤、着色剤、可塑剤、分散剤等の各種添加剤が、必要に応じて適量配合される。ゴム組成物に、架橋ゴム粉末又は合成樹脂粉末が配合されてもよい。
【００２０】
コア４の直径は３０．０ｍｍ以上、特には３８．０ｍｍ以上である。コア４の直径は４２．０ｍｍ以下、特には４１．５ｍｍ以下である。コア４が２以上の層から構成されてもよい。
【００２１】
カバー６に好適なポリマーは、アイオノマー樹脂である。特に、α−オレフィンと炭素数が３以上８以下のα，β−不飽和カルボン酸との共重合体におけるカルボン酸の一部が金属イオンで中和されたものが好適である。好ましいα−オレフィンは、エチレン及びプロピレンである。好ましいα，β−不飽和カルボン酸は、アクリル酸及びメタクリル酸である。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から好適な金属イオンは、ナトリウムイオン、亜鉛イオン、リチウムイオン及びマグネシウムイオンである。
【００２２】
アイオノマー樹脂に代えて又はアイオノマー樹脂と共に、他のポリマーが用いられてもよい。他のポリマーとしては、熱可塑性樹脂スチレンエラストマー、熱可塑性ポリウレタンエラストマー、熱可塑性ポリアミドエラストマー、熱可塑性ポリエステルエラストマー及び熱可塑性ポリオレフィンエラストマーが例示される。
【００２３】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２４】
カバー６の厚みは０．２ｍｍ以上、特には０．８ｍｍ以上である。カバー６の厚みは２．５ｍｍ以下、特には２．２ｍｍ以下である。カバー６の比重は０．９０以上、特には０．９５以上である。カバー６の比重は１．１０以下、特には１．０５以下である。カバー６が２以上の層から構成されてもよい。
【００２５】
図２は図１のゴルフボール２が示された拡大平面図であり、図３は図２のゴルフボール２が示された正面図である。図２及び図３から明らかなように、全てのディンプル８の輪郭形状は円形である。図２では、ゴルフボール２の表面が６個の等価なユニットに区画された場合の１個のユニットにおいて、符号ＡからＥによってディンプル８の種類が示されている。このゴルフボール２は、直径が５．５０ｍｍであるディンプルＡと、直径が４．８０ｍｍであるディンプルＢと、直径が４．４６ｍｍであるディンプルＣと、直径が３．４０ｍｍであるディンプルＤと、直径が３．００ｍｍであるディンプルＥとを備えている。
【００２６】
図２及び図３に示されたゴルフボール２では、ディンプルＡの個数は１８個であり、ディンプルＢの個数は１２６個であり、ディンプルＣの個数は７２個であり、ディンプルＤの個数は６０個であり、ディンプルＥの個数は２４個である。このゴルフボール２のディンプル８の総数は、３００個である。
【００２７】
図４（ａ）は図１のゴルフボール２の一部が示された拡大平面図であり、図４（ｂ）は図１のゴルフボール２の一部が示された拡大断面図である。この図４（ｂ）には、ディンプル８の最深箇所及びゴルフボール２の中心を通過する面に沿った断面が示されている。図４（ｂ）における上下方向は、深さ方向である。図４（ｂ）において二点鎖線１２で示されているのは、ボール仮想球１２である。ボール仮想球１２の表面は、ディンプル８が存在しないと仮定されたときのゴルフボール２の表面である。ディンプル８は、ボール仮想球１２から凹陥している。ランド１０は、ボール仮想球１２と一致している。
【００２８】
ディンプル８は、第一曲面Ｓ１、第二曲面Ｓ２、第三曲面Ｓ３、第一エッジＥ１、第二エッジＥ２及び第三エッジＥ３を備えている。第一エッジＥ１は、ランド１０と第一曲面Ｓ１との境界である。第二エッジＥ２は、第一曲面Ｓ１と第二曲面Ｓ２との境界である。第三エッジＥ３は、第二曲面Ｓ２と第三曲面Ｓ３との境界である。第一エッジＥ１、第二エッジＥ２及び第三エッジＥ３は、円状である。図４（ａ）から明らかなように、第二エッジＥ２及び第三エッジＥ３は第一エッジＥ１と同心円状に配置されている。
【００２９】
第一曲面Ｓ１は、第一仮想球面Ｐ１の一部をなす。第一曲面Ｓ１は、下向きに凸である。第一曲面Ｓ１は、リング状である。第一曲面Ｓ１は、第一エッジＥ１からディンプル８の中心に向かって下向きに傾斜している。第二曲面Ｓ２は、第二仮想球面Ｐ２の一部をなす。第二曲面Ｓ２は、上向きに凸である。第二曲面Ｓ２は、リング状である。第二曲面Ｓ２は、第二エッジＥ２からディンプル８の中心に向かって上向きに傾斜している。第三曲面Ｓ３は、第三仮想球面Ｐ３の一部をなす。第三曲面Ｓ３は、下向きに凸である。第三曲面Ｓ３は、碗状である。第三曲面Ｓ３は、第三エッジＥ３からディンプル８の中心に向かって下向きに傾斜している。
【００３０】
このディンプル８では、ディンプル８の中心に向かって流れる空気が第三エッジＥ３と衝突する。この衝突により、空気の流れが乱される。このディンプル８を備えたゴルフボール２では、抗力が抑制される。このゴルフボール２は、飛行性能に優れる。
【００３１】
このディンプル８では、第一曲面Ｓ１、第二曲面Ｓ２及び第三曲面Ｓ３は、第一エッジＥ１を含む平面よりも上方に突出していない。しかも、第一曲面Ｓ１、第二曲面Ｓ２及び第三曲面Ｓ３は、第一仮想球面Ｐ１よりも下方に突出していない。このディンプル８では、その中心に向かって十分な量の空気が流れ込む。このディンプル８は、飛行性能に寄与する。
【００３２】
図４（ａ）において、両矢印Ｄ１で示されているのは第一エッジＥ１の直径であり、両矢印Ｄ２で示されているのは第二エッジＥ２の直径であり、両矢印Ｄ３で示されているのは第三エッジＥ３の直径である。直径Ｄ１は、ディンプル８の直径でもある。直径Ｄ１は、直径Ｄ２よりも大きい。直径Ｄ２は、直径Ｄ３よりも大きい。
【００３３】
図４（ｂ）において両矢印Ｌ１で示されているのは、第一仮想球面Ｐ１の深さである。本明細書では、深さＬ１は、第一エッジＥ１を含む平面と第一仮想球面Ｐ１の最深点との距離と定義される。図４（ｂ）において両矢印Ｌ２で示されているのは、第二仮想球面Ｐ２の高さである。本明細書では、高さＬ２は、第二エッジＥ２を含む平面と第二仮想球面Ｐ２の頂点との距離と定義される。図４（ｂ）において両矢印Ｌ３で示されているのは、第三仮想球面Ｐ３の深さである。本明細書では、深さＬ３は、第三エッジＥ３を含む平面と第三仮想球面Ｐ３の頂点との距離と定義される。ディンプル８の中心に向かって十分な量の空気が流れ込むとの観点から、高さＬ２が深さＬ１よりも小さく、深さＬ３が深さＬ１よりも小さいことが好ましい。
【００３４】
このディンプル８は、３個の円状エッジＥ１、Ｅ２、Ｅ３を備えている。ゴルフボール２が、３以上の円状エッジを備えたディンプル８と他のディンプルとを備えてもよい。この場合は、３以上の円状エッジを備えたディンプル８の数のディンプルの総数に対する比率は５０％以上が好ましく、７０％以上がより好ましい。理想的には、この比率は１００％である。
【００３５】
ディンプル効果の観点から、ディンプル８の直径Ｄ１は２．０ｍｍ以上が好ましく、２．２ｍｍ以上がより好ましく、２．４ｍｍ以上が特に好ましい。実質的に球であるというゴルフボール２の本質が維持されるとの観点から、直径Ｄ１は６．０ｍｍ以下が好ましく、５．８ｍｍ以下がより好ましく、５．６ｍｍ以下が特に好ましい。
【００３６】
ディンプル８の総数が過小であると、ディンプル効果が得られにくい。ディンプル効果の観点から、総数は２００個以上が好ましく、２４０個以上がより好ましく、２６０個以上が特に好ましい。総数が過大であると、個々のディンプル８のサイズが小さいことに起因してディンプル効果が得られにくい。ディンプル効果の観点から、総数は５００個以下が好ましく、４８０個以下がより好ましく、４６０個以下が特に好ましい。
【００３７】
本明細書において「ディンプルの容積」とは、ディンプル８の輪郭を含む平面とディンプル８の表面とに囲まれた部分の容積を意味する。ホップ弾道の抑制の観点から、ディンプル８の総容積は２５０ｍｍ３以上が好ましく、２６０ｍｍ３以上がより好ましく、２７０ｍｍ３以上が特に好ましい。ドロップ弾道の抑制の観点から、総容積は４００ｍｍ３以下が好ましく、３９０ｍｍ３以下がより好ましく、３８０ｍｍ３以下が特に好ましい。
【００３８】
本発明では、全てのディンプル８の面積の合計がボール仮想球の表面積に占める比率は、占有率と称される。十分なディンプル効果が得られるとの観点から、占有率は７５％以上が好ましく、７７％以上がより好ましく、７９％以上が特に好ましい。占有率は、９０％以下が好ましい。
【００３９】
図５（ａ）は本発明の他の実施形態に係るゴルフボールの一部が示された平面図であり、図５（ｂ）はその断面図である。この図５には、ディンプル１４が示されている。図５（ｂ）において二点鎖線１６で示されているのは、ボール仮想球である。
【００４０】
このディンプル１４は、第一曲面Ｓ１、第二曲面Ｓ２、第三曲面Ｓ３、第四曲面Ｓ４、第一エッジＥ１、第二エッジＥ２、第三エッジＥ３及び第四エッジＥ４を備えている。第一エッジＥ１は、ランド１８と第一曲面Ｓ１との境界である。第二エッジＥ２は、第一曲面Ｓ１と第二曲面Ｓ２との境界である。第三エッジＥ３は、第二曲面Ｓ２と第三曲面Ｓ３との境界である。第四エッジＥ４は、第三曲面Ｓ３と第四曲面Ｓ４との境界である。第一エッジＥ１、第二エッジＥ２、第三エッジＥ３及び第四エッジＥ４は、円状である。図５（ａ）から明らかなように、第二エッジＥ２、第三エッジＥ３及び第四エッジＥ４は第一エッジＥ１と同心円状に配置されている。
【００４１】
第一曲面Ｓ１は、第一仮想球面Ｐ１の一部をなす。第一曲面Ｓ１は、下向きに凸である。第一曲面Ｓ１は、リング状である。第一曲面Ｓ１は、第一エッジＥ１からディンプル１４の中心に向かって下向きに傾斜している。第二曲面Ｓ２は、第二仮想球面Ｐ２の一部をなす。第二曲面Ｓ２は、上向きに凸である。第二曲面Ｓ２は、リング状である。第二曲面Ｓ２は、第二エッジＥ２からディンプル１４の中心に向かって上向きに傾斜している。第三曲面Ｓ３は、第三仮想球面Ｐ３の一部をなす。第三曲面Ｓ３は、下向きに凸である。第三曲面Ｓ３は、リング状である。第三曲面Ｓ３は、第三エッジＥ３からディンプル１４の中心に向かって下向きに傾斜している。第四曲面Ｓ４は、第四仮想球面Ｐ４の一部をなす。第四曲面Ｓ４は、上向きに凸である。第四曲面Ｓ４は、丘状である。第四曲面Ｓ４は、第四エッジＥ４からディンプル１４の中心に向かって上向きに傾斜している。
【００４２】
このディンプル１４では、ディンプル１４の中心に向かって流れる空気が第三エッジＥ３及び第四曲面Ｓ４と衝突する。この衝突により、空気の流れが乱される。このディンプル１４を備えたゴルフボールでは、抗力が抑制される。このゴルフボールは、飛行性能に優れる。
【００４３】
このディンプル１４では、第一曲面Ｓ１、第二曲面Ｓ２、第三曲面Ｓ３及び第四曲面Ｓ４は、第一エッジＥ１を含む平面よりも上方に突出していない。しかも、第一曲面Ｓ１、第二曲面Ｓ２、第三曲面Ｓ３及び第四曲面Ｓ４は、第一仮想球面Ｐ１よりも下方に突出していない。このディンプル１４では、その中心に向かって十分な量の空気が流れ込む。このディンプル１４は、飛行性能に寄与する。
【００４４】
図５（ａ）において、両矢印Ｄ１で示されているのは第一エッジＥ１の直径であり、両矢印Ｄ２で示されているのは第二エッジＥ２の直径であり、両矢印Ｄ３で示されているのは第三エッジＥ３の直径であり、両矢印Ｄ４で示されているのは第四エッジＥ４の直径である。直径Ｄ１は、直径Ｄ２よりも大きい。直径Ｄ２は、直径Ｄ３よりも大きい。直径Ｄ３は、直径Ｄ４よりも大きい。
【００４５】
図５（ｂ）において両矢印Ｌ４で示されているのは、第四仮想球面Ｐ４の高さである。本明細書では、高さＬ４は、第四エッジＥ４を含む平面と第四仮想球面Ｐ４の頂点との距離と定義される。ディンプル１４の中心に向かって十分な量の空気が流れ込むとの観点から、高さＬ４が深さＬ１（図４参照）よりも小さいことが好ましい。
【００４６】
図６（ａ）は本発明のさらに他の実施形態に係るゴルフボールの一部が示された平面図であり、図６（ｂ）はその断面図である。この図６には、ディンプル２０が示されている。図６（ｂ）において二点鎖線２２で示されているのは、ボール仮想球である。
【００４７】
このディンプル２０は、第一曲面Ｓ１、第二曲面Ｓ２、第三曲面Ｓ３、第四曲面Ｓ４、第五曲面Ｓ５、第一エッジＥ１、第二エッジＥ２、第三エッジＥ３、第四エッジＥ４及び第五エッジＥ５を備えている。第一エッジＥ１は、ランド２４と第一曲面Ｓ１との境界である。第二エッジＥ２は、第一曲面Ｓ１と第二曲面Ｓ２との境界である。第三エッジＥ３は、第二曲面Ｓ２と第三曲面Ｓ３との境界である。第四エッジＥ４は、第三曲面Ｓ３と第四曲面Ｓ４との境界である。第五エッジＥ５は、第四曲面Ｓ４と第五曲面Ｓ５との境界である。第一エッジＥ１、第二エッジＥ２、第三エッジＥ３、第四エッジＥ４及び第五エッジＥ５は、円状である。図６（ａ）から明らかなように、第二エッジＥ２、第三エッジＥ３、第四エッジＥ４及び第五エッジＥ５は、第一エッジＥ１と同心円状に配置されている。
【００４８】
第一曲面Ｓ１は、第一仮想球面Ｐ１の一部をなす。第一曲面Ｓ１は、下向きに凸である。第一曲面Ｓ１は、リング状である。第一曲面Ｓ１は、第一エッジＥ１からディンプル２０の中心に向かって下向きに傾斜している。第二曲面Ｓ２は、第二仮想球面Ｐ２の一部をなす。第二曲面Ｓ２は、上向きに凸である。第二曲面Ｓ２は、リング状である。第二曲面Ｓ２は、第二エッジＥ２からディンプル２０の中心に向かって上向きに傾斜している。第三曲面Ｓ３は、第三仮想球面Ｐ３の一部をなす。第三曲面Ｓ３は、下向きに凸である。第三曲面Ｓ３は、リング状である。第三曲面Ｓ３は、第三エッジＥ３からディンプル２０の中心に向かって下向きに傾斜している。第四曲面Ｓ４は、第四仮想球面Ｐ４の一部をなす。第四曲面Ｓ４は、上向きに凸である。第四曲面Ｓ４は、リング状である。第四曲面Ｓ４は、第四エッジＥ４からディンプル２０の中心に向かって上向きに傾斜している。第五曲面Ｓ５は、第五仮想球面Ｐ５の一部をなす。第五曲面Ｓ５は、下向きに凸である。第五曲面Ｓ５は、碗状である。第五曲面Ｓ５は、第五エッジＥ５からディンプル２０の中心に向かって下向きに傾斜している。
【００４９】
このディンプル２０では、ディンプル２０の中心に向かって流れる空気が第三エッジＥ３及び第五エッジＥ５と衝突する。この衝突により、空気の流れが乱される。このディンプル２０を備えたゴルフボールでは、抗力が抑制される。このゴルフボールは、飛行性能に優れる。
【００５０】
このディンプル２０では、第一曲面Ｓ１、第二曲面Ｓ２、第三曲面Ｓ３、第四曲面Ｓ４及び第五曲面Ｓ５は、第一エッジＥ１を含む平面よりも上方に突出していない。しかも、第一曲面Ｓ１、第二曲面Ｓ２、第三曲面Ｓ３、第四曲面Ｓ４及び第五曲面Ｓ５は、第一仮想球面Ｐ１よりも下方に突出していない。このディンプル２０では、その中心に向かって十分な量の空気が流れ込む。このディンプル２０は、飛行性能に寄与する。
【００５１】
図６（ａ）において、両矢印Ｄ１で示されているのは第一エッジＥ１の直径であり、両矢印Ｄ２で示されているのは第二エッジＥ２の直径であり、両矢印Ｄ３で示されているのは第三エッジＥ３の直径であり、両矢印Ｄ４で示されているのは第四エッジＥ４の直径であり、両矢印Ｄ５で示されているのは第五エッジＥ５の直径である。直径Ｄ１は、直径Ｄ２よりも大きい。直径Ｄ２は、直径Ｄ３よりも大きい。直径Ｄ３は、直径Ｄ４よりも大きい。直径Ｄ４は、直径Ｄ５よりも大きい。
【００５２】
図６（ｂ）において両矢印Ｌ５で示されているのは、第五仮想球面Ｐ５の深さである。本明細書では、深さＬ５は、第五エッジＥ５を含む平面と第五仮想球面Ｐ５の最深点との距離と定義される。ディンプル２０の中心に向かって十分な量の空気が流れ込むとの観点から、深さＬ５が深さＬ１（図４参照）よりも小さいことが好ましい。
【００５３】
図７（ａ）は本発明のさらに他の実施形態に係るゴルフボールの一部が示された平面図であり、図７（ｂ）はその断面図である。この図７には、ディンプル２６が示されている。図７（ｂ）において二点鎖線２８で示されているのは、ボール仮想球である。
【００５４】
このディンプル２６は、第一曲面Ｓ１、第二曲面Ｓ２、第三曲面Ｓ３、第四曲面Ｓ４、第五曲面Ｓ５、第六曲面Ｓ６、第一エッジＥ１、第二エッジＥ２、第三エッジＥ３、第四エッジＥ４、第五エッジＥ５及び第六エッジＥ６を備えている。第一エッジＥ１は、ランド３０と第一曲面Ｓ１との境界である。第二エッジＥ２は、第一曲面Ｓ１と第二曲面Ｓ２との境界である。第三エッジＥ３は、第二曲面Ｓ２と第三曲面Ｓ３との境界である。第四エッジＥ４は、第三曲面Ｓ３と第四曲面Ｓ４との境界である。第五エッジＥ５は、第四曲面Ｓ４と第五曲面Ｓ５との境界である。第六エッジＥ６は、第五曲面Ｓ５と第六曲面Ｓ６との境界である。第一エッジＥ１、第二エッジＥ２、第三エッジＥ３、第四エッジＥ４、第五エッジＥ５及び第六エッジＥ６は、円状である。図７（ａ）から明らかなように、第二エッジＥ２、第三エッジＥ３、第四エッジＥ４、第五エッジＥ５及び第六エッジＥ６は、第一エッジＥ１と同心円状に配置されている。
【００５５】
第一曲面Ｓ１は、第一仮想球面Ｐ１の一部をなす。第一曲面Ｓ１は、下向きに凸である。第一曲面Ｓ１は、リング状である。第一曲面Ｓ１は、第一エッジＥ１からディンプル２６の中心に向かって下向きに傾斜している。第二曲面Ｓ２は、第二仮想球面Ｐ２の一部をなす。第二曲面Ｓ２は、上向きに凸である。第二曲面Ｓ２は、リング状である。第二曲面Ｓ２は、第二エッジＥ２からディンプル２６の中心に向かって上向きに傾斜している。第三曲面Ｓ３は、第三仮想球面Ｐ３の一部をなす。第三曲面Ｓ３は、下向きに凸である。第三曲面Ｓ３は、リング状である。第三曲面Ｓ３は、第三エッジＥ３からディンプル２６の中心に向かって下向きに傾斜している。第四曲面Ｓ４は、第四仮想球面Ｐ４の一部をなす。第四曲面Ｓ４は、上向きに凸である。第四曲面Ｓ４は、リング状である。第四曲面Ｓ４は、第四エッジＥ４からディンプル２６の中心に向かって上向きに傾斜している。第五曲面Ｓ５は、第五仮想球面Ｐ５の一部をなす。第五曲面Ｓ５は、下向きに凸である。第五曲面Ｓ５は、リング状である。第五曲面Ｓ５は、第五エッジＥ５からディンプル２６の中心に向かって下向きに傾斜している。第六曲面Ｓ６は、第六仮想球面Ｐ６の一部をなす。第六曲面Ｓ６は、上向きに凸である。第六曲面Ｓ６は、丘状である。第六曲面Ｓ６は、第六エッジＥ６からディンプル２６の中心に向かって上向きに傾斜している。
【００５６】
このディンプル２６では、ディンプル２６の中心に向かって流れる空気が第三エッジＥ３、第五エッジＥ５及び第六曲面Ｓ６と衝突する。この衝突により、空気の流れが乱される。このディンプル２６を備えたゴルフボールでは、抗力が抑制される。このゴルフボールは、飛行性能に優れる。
【００５７】
このディンプル２６では、第一曲面Ｓ１、第二曲面Ｓ２、第三曲面Ｓ３、第四曲面Ｓ４、第五曲面Ｓ５及び第六曲面Ｓ６は、第一エッジＥ１を含む平面よりも上方に突出していない。しかも、第一曲面Ｓ１、第二曲面Ｓ２、第三曲面Ｓ３、第四曲面Ｓ４、第五曲面Ｓ５及び第六曲面Ｓ６は、第一仮想球面Ｐ１よりも下方に突出していない。このディンプル２６では、その中心に向かって十分な量の空気が流れ込む。このディンプル２６は、飛行性能に寄与する。
【００５８】
図７（ａ）において、両矢印Ｄ１で示されているのは第一エッジＥ１の直径であり、両矢印Ｄ２で示されているのは第二エッジＥ２の直径であり、両矢印Ｄ３で示されているのは第三エッジＥ３の直径であり、両矢印Ｄ４で示されているのは第四エッジＥ４の直径であり、両矢印Ｄ５で示されているのは第五エッジＥ５の直径であり、両矢印Ｄ６で示されているのは第六エッジＥ６の直径である。直径Ｄ１は、直径Ｄ２よりも大きい。直径Ｄ２は、直径Ｄ３よりも大きい。直径Ｄ３は、直径Ｄ４よりも大きい。直径Ｄ４は、直径Ｄ５よりも大きい。直径Ｄ５は、直径Ｄ６よりも大きい。
【００５９】
図７（ｂ）において両矢印Ｌ６で示されているのは、第六仮想球面Ｐ６の高さである。本明細書では、高さＬ６は、第六エッジＥ６を含む平面と第六仮想球面Ｐ６の頂点との距離と定義される。ディンプル２６の中心に向かって十分な量の空気が流れ込むとの観点から、高さＬ６が深さＬ１（図４参照）よりも小さいことが好ましい。
【００６０】
図８（ａ）は本発明のさらに他の実施形態に係るゴルフボールの一部が示された平面図であり、図８（ｂ）はその断面図である。この図８には、ディンプル３２が示されている。図８（ｂ）において二点鎖線３４で示されているのは、ボール仮想球である。
【００６１】
このディンプル３２は、第一曲面Ｓ１、第二曲面Ｓ２、第三曲面Ｓ３、第四曲面Ｓ４、第五曲面Ｓ５、第六曲面Ｓ６、第七曲面Ｓ７、第一エッジＥ１、第二エッジＥ２、第三エッジＥ３、第四エッジＥ４、第五エッジＥ５、第六エッジＥ６及び第七エッジＥ７を備えている。第一エッジＥ１は、ランド３６と第一曲面Ｓ１との境界である。第二エッジＥ２は、第一曲面Ｓ１と第二曲面Ｓ２との境界である。第三エッジＥ３は、第二曲面Ｓ２と第三曲面Ｓ３との境界である。第四エッジＥ４は、第三曲面Ｓ３と第四曲面Ｓ４との境界である。第五エッジＥ５は、第四曲面Ｓ４と第五曲面Ｓ５との境界である。第六エッジＥ６は、第五曲面Ｓ５と第六曲面Ｓ６との境界である。第七エッジＥ７は、第六曲面Ｓ６と第七曲面Ｓ７との境界である。第一エッジＥ１、第二エッジＥ２、第三エッジＥ３、第四エッジＥ４、第五エッジＥ５、第六エッジＥ６及び第七エッジＥ７は、円状である。図８（ａ）から明らかなように、第二エッジＥ２、第三エッジＥ３、第四エッジＥ４、第五エッジＥ５、第六エッジＥ６及び第七エッジＥ７は、第一エッジＥ１と同心円状に配置されている。
【００６２】
第一曲面Ｓ１は、第一仮想球面Ｐ１の一部をなす。第一曲面Ｓ１は、下向きに凸である。第一曲面Ｓ１は、リング状である。第一曲面Ｓ１は、第一エッジＥ１からディンプル３２の中心に向かって下向きに傾斜している。第二曲面Ｓ２は、第二仮想球面Ｐ２の一部をなす。第二曲面Ｓ２は、上向きに凸である。第二曲面Ｓ２は、リング状である。第二曲面Ｓ２は、第二エッジＥ２からディンプル３２の中心に向かって上向きに傾斜している。第三曲面Ｓ３は、第三仮想球面Ｐ３の一部をなす。第三曲面Ｓ３は、下向きに凸である。第三曲面Ｓ３は、リング状である。第三曲面Ｓ３は、第三エッジＥ３からディンプル３２の中心に向かって下向きに傾斜している。第四曲面Ｓ４は、第四仮想球面Ｐ４の一部をなす。第四曲面Ｓ４は、上向きに凸である。第四曲面Ｓ４は、リング状である。第四曲面Ｓ４は、第四エッジＥ４からディンプル３２の中心に向かって上向きに傾斜している。第五曲面Ｓ５は、第五仮想球面Ｐ５の一部をなす。第五曲面Ｓ５は、下向きに凸である。第五曲面Ｓ５は、リング状である。第五曲面Ｓ５は、第五エッジＥ５からディンプル３２の中心に向かって下向きに傾斜している。第六曲面Ｓ６は、第六仮想球面Ｐ６の一部をなす。第六曲面Ｓ６は、上向きに凸である。第六曲面Ｓ６は、リング状である。第六曲面Ｓ６は、第六エッジＥ６からディンプル３２の中心に向かって上向きに傾斜している。第七曲面Ｓ７は、第七仮想球面Ｐ７の一部をなす。第七曲面Ｓ７は、下向きに凸である。第七曲面Ｓ７は、碗状である。第七曲面Ｓ７は、第七エッジＥ７からディンプル３２の中心に向かって下向きに傾斜している。
【００６３】
このディンプル３２では、ディンプル３２の中心に向かって流れる空気が第三エッジＥ３、第五エッジＥ５及び第七エッジＥ７と衝突する。この衝突により、空気の流れが乱される。このディンプル３２を備えたゴルフボールでは、抗力が抑制される。このゴルフボールは、飛行性能に優れる。
【００６４】
このディンプル３２では、第一曲面Ｓ１、第二曲面Ｓ２、第三曲面Ｓ３、第四曲面Ｓ４、第五曲面Ｓ５、第六曲面Ｓ６及び第七曲面Ｓ７は、第一エッジＥ１を含む平面よりも上方に突出していない。しかも、第一曲面Ｓ１、第二曲面Ｓ２、第三曲面Ｓ３、第四曲面Ｓ４、第五曲面Ｓ５、第六曲面Ｓ６及び第七曲面Ｓ７は、第一仮想球面Ｐ１よりも下方に突出していない。このディンプル３２では、その中心に向かって十分な量の空気が流れ込む。このディンプル３２は、飛行性能に寄与する。
【００６５】
図８（ａ）において、両矢印Ｄ１で示されているのは第一エッジＥ１の直径であり、両矢印Ｄ２で示されているのは第二エッジＥ２の直径であり、両矢印Ｄ３で示されているのは第三エッジＥ３の直径であり、両矢印Ｄ４で示されているのは第四エッジＥ４の直径であり、両矢印Ｄ５で示されているのは第五エッジＥ５の直径であり、両矢印Ｄ６で示されているのは第六エッジＥ６の直径であり、両矢印Ｄ７で示されているのは第七エッジＥ７の直径である。直径Ｄ１は、直径Ｄ２よりも大きい。直径Ｄ２は、直径Ｄ３よりも大きい。直径Ｄ３は、直径Ｄ４よりも大きい。直径Ｄ４は、直径Ｄ５よりも大きい。直径Ｄ５は、直径Ｄ６よりも大きい。直径Ｄ６は、直径Ｄ７よりも大きい。
【００６６】
図８（ｂ）において両矢印Ｌ７で示されているのは、第七仮想球面Ｐ７の深さである。本明細書では、深さＬ７は、第七エッジＥ７を含む平面と第七仮想球面Ｐ７の頂点との距離と定義される。ディンプル３２の中心に向かって十分な量の空気が流れ込むとの観点から、深さＬ７が深さＬ１（図４参照）よりも小さいことが好ましい。
【実施例】
【００６７】
以下、実施例によって本発明の効果が明らかにされるが、この実施例の記載に基づいて本発明が限定的に解釈されるべきではない。
【００６８】
［実施例１］
ポリブタジエン（ジェイエスアール社の商品名「ＢＲ−１１」）１００質量部、アクリル酸亜鉛２４．５質量部、酸化亜鉛１０質量部、硫酸バリウム１５質量部及びジクミルパーオキサイド０．８質量部を混練し、ゴム組成物を得た。このゴム組成物を共に半球状キャビティを備えた上型及び下型からなる金型に投入し、１６０℃で２０分間加熱して、直径が３８．１ｍｍのコアを得た。一方、アイオノマー樹脂（三井・デュポンポリケミカル社の商品名「ハイミラン１６０５」）５０質量部、他のアイオノマー樹脂（三井・デュポンポリケミカル社の商品名「ハイミラン１７０６」）５０質量部及び二酸化チタン３質量部を混練し、樹脂組成物を得た。上記コアを、内周面に多数のピンプルを備えた金型に投入し、コアの周囲に上記樹脂組成物を射出成形法により注入して、厚みが２．３ｍｍであるカバーを成形した。カバーには、ピンプルの形状が反転した形状のディンプルが多数形成された。このカバーに塗装を施して、直径が４２．７ｍｍであり質量が約４５．４ｇである実施例１のゴルフボールを得た。このゴルフボールのコンプレッション（ＡＴＴＩ）は、約８５である。このゴルフボールのディンプル仕様が、下記表２に示されている。
【００６９】
［実施例２から４及び比較例１から２］
金型を変更してディンプルの仕様を下記の表１から表５に示される通りとした他は実施例１と同様にして、実施例２から４及び比較例１から２のゴルフボールを得た。
【００７０】
【表１】
2006094884.tif 000003
【００７１】
【表２】
2006094884.tif 000004
【００７２】
【表３】
2006094884.tif 000005
【００７３】
【表４】
2006094884.tif 000006
【００７４】
【表５】
2006094884.tif 000007
【００７５】
［飛距離テスト］
ツルテンパー社のスイングマシンに、メタルヘッドを備えたドライバー（住友ゴム工業株式会社の商品名「ＸＸＩＯ」、シャフト硬度：Ｘ、ロフト角：９°）を装着した。ヘッド速度が４９ｍ／ｓｅｃであり、打ち出し角度がほぼ１１°であり、初期スピン速度がほぼ３０００ｒｐｍである条件でゴルフボールを打撃して、発射地点から静止地点までの距離を測定した。試験中の風のコンディションは、ほぼ無風であった。２０回の測定の平均値が、下記の表６に示されている。
【００７６】
【表６】
2006094884.tif 000008
【００７７】
表６に示されるように、実施例のゴルフボールは飛行性能に優れている。この評価結果から、本発明の優位性は明らかである。
【産業上の利用可能性】
【００７８】
本発明に係るディンプルパターンは、ツーピースゴルフボールのみならず、ワンピースゴルフボール、マルチピースゴルフボール及び糸巻きゴルフボールにも適している。
【図面の簡単な説明】
【００７９】
【図１】図１は、本発明の一実施形態に係るゴルフボールが示された模式的断面図である。
【図２】図２は、図１のゴルフボールが示された拡大平面図である。
【図３】図３は、図２のゴルフボールが示された正面図である。
【図４】図４（ａ）は図１のゴルフボールの一部が示された拡大平面図であり、図４（ｂ）は図１のゴルフボールの一部が示された拡大断面図である。
【図５】図５（ａ）は本発明の他の実施形態に係るゴルフボールの一部が示された平面図であり、図５（ｂ）はその断面図である。
【図６】図６（ａ）は本発明のさらに他の実施形態に係るゴルフボールの一部が示された平面図であり、図６（ｂ）はその断面図である。
【図７】図７（ａ）は本発明のさらに他の実施形態に係るゴルフボールの一部が示された平面図であり、図７（ｂ）はその断面図である。
【図８】図８（ａ）は本発明のさらに他の実施形態に係るゴルフボールの一部が示された平面図であり、図８（ｂ）はその断面図である。
【図９】図９（ａ）は比較例１に係るゴルフボールの一部が示された平面図であり、図９（ｂ）はその断面図である。
【図１０】図１０（ａ）は比較例２に係るゴルフボールの一部が示された平面図であり、図１０（ｂ）はその断面図である。
【符号の説明】
【００８０】
２・・・ゴルフボール
４・・・コア
６・・・カバー
８、１４、２０、２６、３２・・・ディンプル
１０、１８、２４、３０、３６・・・ランド
１２、１６、２２、２８、３４・・・ボール仮想球
Ａ・・・ディンプルＡ
Ｂ・・・ディンプルＢ
Ｃ・・・ディンプルＣ
Ｄ・・・ディンプルＤ
Ｅ・・・ディンプルＥ
Ｅ１・・・第一エッジ
Ｅ２・・・第二エッジ
Ｅ３・・・第三エッジ
Ｅ４・・・第四エッジ
Ｅ５・・・第五エッジ
Ｅ６・・・第六エッジ
Ｅ７・・・第七エッジ
Ｓ１・・・第一曲面
Ｓ２・・・第二曲面
Ｓ３・・・第三曲面
Ｓ４・・・第四曲面
Ｓ５・・・第五曲面
Ｓ６・・・第六曲面
Ｓ７・・・第七曲面
【図１】
2006094884.tif 000009
【図２】
2006094884.tif 000010
【図３】
2006094884.tif 000011
【図４】
2006094884.tif 000012
【図５】
2006094884.tif 000013
【図６】
2006094884.tif 000014
【図７】
2006094884.tif 000015
【図８】
2006094884.tif 000016
【図９】
2006094884.tif 000017
【図１０】
2006094884.tif 000018